(57)【要約】柔軟なマネキン用履物及びその製造方法を提示する。本発明の柔軟なマネキン用履物は、マネキン足の足指部分を取り囲む構造の前方ガイド部材、マネキン足の踵部分を取り囲む構造の後方ガイド部材、及び前記マネキン足に被せられた前方ガイド部材及び後方ガイド部材を含めて被せる構造のカバー部材を含むことを特徴とする。本発明によれば、外部から見たとき、実際履物のように見える実用的効果を提供することができ、前記カバー部材及びガイド部材を変更することにより多様な履物と新しいマネキン足に着用させることができるので、季節又は流行によってよく変更しなければならないディスプレイ用の柔軟なマネキン用履物の製作及び交換コストを節減し、交換時間を縮めることができる利点がある。【選択図】  図６
2022501165.tif 000002
【特許請求の範囲】
【請求項１】
マネキン足（１０）の足指部分を取り囲む構造の前方ガイド部材（１１０）と、
マネキン足（１０）の踵部分を取り囲む構造の後方ガイド部材（１２０）と、
前記前方ガイド部材（１１０）及び後方ガイド部材（１２０）を含めてマネキン足（１０）を被せる構造のカバー部材（１３０）とを含むことを特徴とする、柔軟なマネキン用履物。
【請求項２】
前記マネキン足（１０）が挿入された前記前方ガイド部材（１１０）及び後方ガイド部材（１２０）に対応する構造を有し、前記カバー部材（１３０）の下面に着脱可能に装着される下面ガイド部材（１６０）をさらに含むことを特徴とする、請求項１に記載の柔軟なマネキン用履物。
【請求項３】
前記マネキン足（１０）が挿入された前記前方ガイド部材（１１０）及び後方ガイド部材（１２０）の一つ又は両者に対応する構造を有し、前記カバー部材（１３０）の下面に着脱可能に装着され、下方に所定長さだけ延びる構造を有する突出部材（１４０）をさらに含むことを特徴とする、請求項１に記載の柔軟なマネキン用履物。
【請求項４】
前記前方ガイド部材（１１０）及び後方ガイド部材（１２０）は、プラスチック類、シリコン類、韓紙パルプ類、紙類、織物類又は不織布類の一種又はそれ以上が混合された素材からなることを特徴とする、請求項１に記載の柔軟なマネキン用履物。
【請求項５】
前記前方ガイド部材（１１０）の上面又は下面には、前方ガイド部材（１１０）の周長を変更することができる周長調整構造（１５０）が形成されていることを特徴とする、請求項１に記載の柔軟なマネキン用履物。
【請求項６】
前記周長調整構造（１５０）は、前方ガイド部材（１１０）の一側面に沿って所定長さだけ切開された構造（１５０ｂ）、又は前方ガイド部材（１１０）の一側面に沿って所定深さだけ湾入した構造（１５０ｃ）であることを特徴とする、請求項５に記載の柔軟なマネキン用履物。
【請求項７】
前記後方ガイド部材（１２０）は、マネキン足（１０）の踵部分及びこれに対応する部分に接着手段（６、１２１）によって固定されることを特徴とする、請求項１に記載の柔軟なマネキン用履物。
【請求項８】
前記カバー部材（１３０）は、前記前方ガイド部材（１１０）及び後方ガイド部材（１２０）とマネキン足（１０）の形状に対応して伸縮変形することができるように、所定程度の弾性復元力を有する素材からなることを特徴とする、請求項１に記載の柔軟なマネキン用履物。
【請求項９】
前記カバー部材（１３０）は、上部が開放し、マネキン足（１０）が挿入される引込口（１３１）が形成された構造を有することを特徴とする、請求項１又は８に記載の柔軟なマネキン用履物。
【請求項１０】
前記カバー部材（１３０）の底面には、マネキン足（１０）の底に支持棒を挿入するための貫通口（１３２）が形成されていることを特徴とする、請求項１又は８に記載の柔軟なマネキン用履物。
【請求項１１】
前記カバー部材（１３０）は下面に結合線が形成されることを特徴とする、請求項１又は８に記載の柔軟なマネキン用履物。
【請求項１２】
前記カバー部材（１３０）の表面には縫製ステッチ又は付属品の存在感を示す文様が形成されていることを特徴とする、請求項１又は８に記載の柔軟なマネキン用履物。
【請求項１３】
前記突出部材（１４０）は、下面（１４３）に接合手段が装着され、座台（４１）において突出部材の下面（１４３）に対応する位置に着脱可能に結合されることができることを特徴とする、請求項３に記載の柔軟なマネキン用履物。
【請求項１４】
前記突出部材（１４０）は、マネキン足（１０）に着用されたマネキン用履物（１００）の下部と座台（４１）の上部との間に介在して配置されることもできることを特徴とする、請求項３に記載の柔軟なマネキン用履物。
【請求項１５】
（ａ）マネキン足（１０）に基づいて履物形状の分離された成形型（２１、２２）を準備する成形型準備段階（Ｓ１１０）と、
（ｂ）成形型の足指部分（２１）に成形材料（３０）を当てて成形した後、成形型（２１）を分離し、周長を調節する前方ガイド部材成形段階（Ｓ１２０）と、
（ｃ）成形型の踵部分（２２）に成形材料（３０）を当てて成形した後、成形型（２２）を分離し、空間を調節する後方ガイド部材成形段階（Ｓ１３０）と、
（ｄ）成形された前方ガイド部材（１１０）をマネキン足（１０）に装着する前方ガイド部材装着段階（Ｓ１４０）と、
（ｅ）成形された後方ガイド部材（１２０）をマネキン足（１０）に装着する後方ガイド部材装着段階（Ｓ１５０）と、
（ｆ）前方ガイド部材（１１０）及び後方ガイド部材（１２０）が装着されたマネキン足（１０）にカバー部材を被せるカバー部材装着段階（Ｓ１６０）とを含むことを特徴とする、柔軟なマネキン用履物の製造方法。
【請求項１６】
前記カバー部材装着段階（Ｓ１６０）の後、カバー部材（１３０）の下部に対応する突出部材（１４０）を装着する突出部材装着段階（Ｓ１７０）をさらに含むことを特徴とする、請求項１５に記載の柔軟なマネキン用履物の製造方法。
【発明の詳細な説明】
【技術分野】
【０００１】
本発明は柔軟なマネキン用履物及びその製造方法に関するもので、より詳しくは外部から見たとき、実際の履物のように見える実用的効果とマネキン足に合わせて履物の形態を即時調節することができる便利性を提供する柔軟な構造のマネキン用履物及びその製造方法に関するものである。
【背景技術】
【０００２】
一般に、マネキン（ｍａｎｎｅｑｕｉｎ）は衣類又はファッション小品を飾ってショーウインドーなどにディスプレイし、需要者がディスプレイされた状態の衣類又はファッション小品を見て購買欲を感じるようにする実物サイズの人形を言う。
【０００３】
ドレス、洋服などの衣類をディスプレイする場合、人体に似ているが理想的な形状を有するマネキンを設置して陳列がもっと引き立つようにする。
【０００４】
マネキンの形態は、製造社、マネキンのポーズ及び流行によって多様であるが、新しい衣類商品と似合うとともに硬い形状に固定されたマネキン足に合うヒトの履物を着用させやすくないので、マネキンに適したマネキン用履物が必要である。
【０００５】
通常、マネキンは、構造的に直立状態を維持するために下端に重量体からなる座台が備えられ、前記座台にマネキンを支持して直立状態に設置することになる。
【０００６】
通常使用するマネキンは、足裏の下部に支持棒を挿入させる構造を持っている。この場合、一方の履物の底部に孔を開けて使うしかないからヒトが履物を再び使うことが難しいという欠点があるが、前記支持棒の露出が最も少ないという利点を持っている。
【０００７】
図１に示すように、マネキン１を座台２に設置するため、座台２の一端に垂直に支持棒３が固定的に取り付けられ、マネキン１の一方の足裏面にはマネキン１の内部に挿入される連結管５を有するブラケット４がネジで組み立てられ、連結管５に支持棒３を挿入して結合することにより、マネキン１が直立状態で支持されるようになっている。ここで、座台２は金属などの重量体からなり、マネキン１が簡単に倒れたり揺れたりすることがないようになっている。
【０００８】
マネキンに着用された履物は衣類商品との調和によって需要者の審美感を引き起こして購買欲求に影響を及ぼすため、より完璧な展示効果を示すことができる。
【０００９】
前記のようなマネキン用履物関連の従来技術として、韓国登録特許第１０−１４８９５６１号公報には、貫通孔が形成されるか貫通孔が形成されることができるように切開線が形成され、閉曲線形状に形成された枠部材と、枠部材の上面一側から上方に延びた延長部材と、枠部材の形状に対応するように形成されて枠部材の上面に結合され、延長部材が貫通する貫通孔を備えたカバー部材と、延長部材に結合され、マネキンの足元又は踵の少なくとも一方を取り囲む係合部材と、枠部材の後面下部に結合された突出部材とを含むマネキン用履物が開示されている。
【００１０】
しかし、従来技術の場合、係合部材又は踵部を交換するために代替可能な係合部材又は突出部材を新しく結合しなければならない。これにより、係合部材又は突出部材の製作に必要な材料の原価及び工賃を考慮すると、前記マネキン用履物の交換コスト及び交換時間を節減するのに限界があった。
【００１１】
また、ファッション市場でももっと安価で多様な履物デザインを容易に表現することができるマネキン用履物が要求されている。
【００１２】
したがって、マネキン用履物の製作コストを節減し、交換過程を単純化して交換時間を縮めることができるマネキン用履物が切実に必要な実情である。
【発明の概要】
【発明が解決しようとする課題】
【００１３】
本発明の目的は、外部から見たとき、実際の履物のように見える実用的効果を提供し、これにより、季節又は流行によって頻繁に交換しなければならないディスプレイ用マネキン用履物の製作及び交換のコストを節減し、交換時間を縮めながら容易で多様に装着することができる構成を有する柔軟なマネキン用履物及びその製造方法を提供することである。
【課題を解決するための手段】
【００１４】
このような目的を達成するための本発明の一側面による柔軟なマネキン用履物は、マネキン足の足指部分を取り囲む構造の前方ガイド部材と、マネキン足の踵部分を取り囲む構造の後方ガイド部材と、前記前方ガイド部材及び後方ガイド部材を含めてマネキン足を被せる構造のカバー部材とを含む。
【００１５】
本発明の一実施例において、柔軟なマネキン用履物は、前記マネキン足が挿入された前記前方ガイド部材及び後方ガイド部材に対応する構造を有し、前記カバー部材の下面に着脱可能に装着される下面ガイド部材をさらに含むことができる。
【００１６】
本発明の一実施例において、柔軟なマネキン用履物は、前記マネキン足が挿入された前記前方ガイド部材及び後方ガイド部材の一つ又は両者に対応する構造を有し、前記カバー部材の下面に着脱可能に装着され、下方に所定の長さだけ延びる構造を有する突出部材をさらに含むことができる。
【００１７】
本発明の一実施例において、前記前方ガイド部材及び後方ガイド部材は、プラスチック類、シリコン類、韓紙パルプ類、紙類、織物類又は不織布類の一種又はそれ以上が混合された素材からなることができる。
【００１８】
本発明の一実施例において、前記前方ガイド部材の上面又は下面には、前方ガイド部材の周長を変更することができる周長調整構造が形成されることができる。
【００１９】
ここで、前記周長調整構造は、前方ガイド部材の一側面に沿って所定の長さだけ切開された構造であることができる。
【００２０】
もしくは、前記周長調整構造は、前方ガイド部材の一側面に沿って所定の深さだけ湾入した構造であることができる。
【００２１】
本発明の一実施例において、前記後方ガイド部材は、マネキン足の踵部分及びこれに対応する部分に接着手段によって固定されることができる。
【００２２】
本発明の一実施例において、前記後方ガイド部材は後側の踵に配置されることによって形成された不必要な空間を調節するための切開線を有することができる。
【００２３】
本発明の一実施例において、前記カバー部材は、前記前方ガイド部材及び後方ガイド部材とマネキン足の形状に対応して伸縮変形することができるように、所定程度の弾性復元力を有する素材からなることができる。
【００２４】
本発明の一実施例において、前記カバー部材は、上部が開放し、マネキン足が挿入される引込口が形成された構造を有することができる。
【００２５】
本発明の一実施例において、前記カバー部材の底面には、マネキン足の底に支持棒を挿入するための貫通口が形成されることができる。
【００２６】
本発明の一実施例において、前記カバー部材は下面に結合線が形成されることができる。
【００２７】
本発明の一実施例において、前記カバー部材の表面には縫製ステッチ又は付属品の存在感を示す文様が形成されることができる。
【００２８】
本発明の一実施例において、前記突出部材は、下面に接合手段が装着され、座台において突出部材の下面に対応する位置に着脱可能に結合されることができる。
【００２９】
本発明の一実施例において、前記突出部材は、マネキン足に着用された履物の下部と座台の上部との間に介在して配置されることもできる。
【００３０】
また、本発明は柔軟なマネキン用履物を製造する方法を提供することができる。本発明の一側面による柔軟なマネキン用履物の製造方法は、（ａ）マネキン足に基づいて履物形状の分離された成形型を準備する成形型準備段階と、（ｂ）成形型の足指部分に成形材料を当てて成形した後、成形型を分離し、周長を調節する前方ガイド部材成形段階と、（ｃ）成形型の踵部分に成形材料を当てて成形した後、成形型を分離し、空間を調節する後方ガイド部材成形段階と、（ｄ）成形された前方ガイド部材をマネキン足に装着する前方ガイド部材装着段階と、（ｅ）成形された後方ガイド部材をマネキン足に装着する後方ガイド部材装着段階と、（ｆ）前方ガイド部材及び後方ガイド部材が装着されたマネキン足にカバー部材を被せるカバー部材装着段階とを含む。
【００３１】
また、本発明は、前記カバー部材装着段階の後、カバー部材の下部に対応する突出部材を装着する突出部材装着段階をさらに含むことができる。
【発明の効果】
【００３２】
以上で説明したように、本発明の柔軟なマネキン用履物及びその製造方法は、外部から見たとき、実際履物のように見える実用的効果を提供し、ディスプレイ用マネキン用履物の製作及び交換コストを節減し、履物デザインを変更してマネキン足のサイズ及び形態に合わせて調節することができるので、交換時間を縮め、容易で多様に装着させることができる構成を含むマネキン用履物及びその製造方法を提供することができる。
【図面の簡単な説明】
【００３３】
【図１】従来技術によるマネキン設置構造を示す斜視図である。
【図２】本発明の一実施例による柔軟なマネキン用履物の前方ガイド部材及び後方ガイド部材を示す斜視図である。
【図３】本発明の他の実施例による柔軟なマネキン用履物の前方ガイド部材を示す斜視図である。
【図４】本発明の一実施例による柔軟なマネキン用履物の後方ガイド部材がマネキン足に固定される状態を示す斜視図である。
【図５】本発明のさらに他の実施例による柔軟なマネキン用履物の後方ガイド部材を示す斜視図及び背面図である。
【図６】本発明の一実施例による柔軟なマネキン用履物の前方ガイド部材、後方ガイド部材及びカバー部材を示す斜視図である。
【図７】本発明の一実施例による柔軟なマネキン用履物をマネキン足に装着する状態を示す斜視図である。
【図８】本発明の一実施例による柔軟なマネキン用履物の前方ガイド部材、後方ガイド部材、カバー部材、下面ガイド部材及び突出部材を示す斜視図である。
【図９】本発明の一実施例による柔軟なマネキン用履物をマネキン足に装着する状態を示す斜視図である。
【図１０】本発明の一実施例による柔軟なマネキン用履物がマネキン足に装着された状態を示す斜視図である。
【図１１】本発明の一実施例によるマネキン用履物を履いたマネキン足が座台に設置された状態を示す斜視図である。
【図１２】本発明の一実施例による柔軟なマネキン用履物の製造方法を示すフローチャートである。
【図１３】成形型を用いて前方ガイド部材及び後方ガイド部材を成形する状態を示す模式図である。
【発明を実施するための形態】
【００３４】
以下で図面に基づいて本発明の好適な実施例を詳細に説明する。この説明に先立ち、この明細書及び請求範囲に使用される用語や単語は通常的又は辞書的意味に限定して解釈されてはならず、本発明の技術的思想に合う意味と概念に解釈されなければならない。
【００３５】
この明細書全般で、ある部材が他の部材“上に”位置していると言うとき、これはある部材が他の部材に接している場合だけではなく両部材の間にさらに他の部材が存在する場合も含む。この明細書全般で、ある部分がある構成要素を“含む”と言うとき、これは特に反対の記載がない限り、他の構成要素を除くものではなくて他の構成要素をさらに含むことができることを意味する。
【００３６】
図２は本発明の一実施例による柔軟なマネキン用履物の前方ガイド部材及び後方ガイド部材を示す斜視図、図３は本発明の他の実施例による柔軟なマネキン用履物の前方ガイド部材を示す斜視図、図４は本発明の一実施例による柔軟なマネキン用履物の後方ガイド部材がマネキン足に固定される状態を示す斜視図である。また、図５は本発明のさらに他の実施例による柔軟なマネキン用履物の後方ガイド部材を示す斜視図及び背面図、図６は本発明の一実施例による柔軟なマネキン用履物の前方ガイド部材、後方ガイド部材及びカバー部材を示す斜視図である。
【００３７】
以下、本発明で、前方とは図４を基準に足指部分を言い、後方とは踵部分を言い、側部とは足元を基準に両側を言い、下部とは足裏部分を言う。
【００３８】
また、本明細書の記載内容において、マネキンが履物を着用するために、明細書の文脈上‘接着手段’又は‘付着手段’、あるいは‘付着’‘配置’、‘固定’又は‘当てる’などの用語を適切に混用することができ、用語の表現のみ違うだけ、実質的に‘着脱可能な手段’及び‘分離される状況’と同じ意味を有する用語であることに気を付けなければならない。
【００３９】
ここで、‘マネキン用履物’とは、一例として‘成人女性マネキン用靴’であり、以下では女性用靴の形状として示しているが、必ずしも女性マネキン用靴に限定されるものではなく、男性（ｍｅｎ）を含めて乳児（ｂａｂｉｅｓ）、幼児（ｉｎｆａｎｔ）、子供（ｃｈｉｌｄｒｅｎ）、青少年（ｔｅｅｎａｇｅ）、成人（ａｄｕｌｔ）、又は年寄り（ｅｌｄｅｒｌｙ）を対象とするマネキン用履物にも適用することができる。また、前記マネキン用履物はマネキンだけではなく、ヒトが着用する履物、靴、カジュアル靴、運動靴も含むことができる。また、人形用履物（ｄｏｌｌ  ｓｈｏｅｓ）、障害者又は義足のための履物（ｄｉｓａｂｌｅｄ  ｐｅｒｓｏｎ  ｓｈｏｅｓ）、おもちゃロボット用履物（ｔｏｙ  ｒｏｂｏｔ  ｓｈｏｅｓ）、スマートロボットおもちゃ用履物（ｓｍａｒｔ  ｒｏｂｏｔ  ｔｏｙ  ｓｈｏｅｓ）、人間型のロボット用履物（ｈｕｍａｎｏｉｄ  ｒｏｂｏｔ  ｓｈｏｅｓ）も含むことができる。
【００４０】
これらの図面を参照すると、本実施例による柔軟なマネキン用履物１００は、特定構造の前方ガイド部材１１０及び後方ガイド部材１２０を含むガイド部材１０１と、カバー部材１３０とを含む構成である。
【００４１】
具体的に、ガイド部材１０１の前方ガイド部材１１０は前記マネキン足１０の足指部分を取り囲む構造をもって足指部分に被せられる部材であり、後方ガイド部材１２０はマネキン足１０の踵部分を取り囲む構造をもって踵部分に被せられる部材である。また、カバー部材１３０は前方ガイド部材１１０と後方ガイド部材１２０が被せられたマネキン足１０を被せる構造になっている。すなわち、前記カバー部材１３０の前方部及び後方部はそれぞれ前記の前方ガイド部材１１０及び後方ガイド部材１２０によって支持され、前記カバー部材１３０が伸張又は収縮してマネキン足１０に被せられた前記前方ガイド部材１１０及び前記後方ガイド部材１２０に密着し、外部から見たとき、前記カバー部材１３０がマネキン足１０に被せられた前記前方ガイド部材１１０及び前記後方ガイド部材１２０の形状を示す。本実施例による柔軟なマネキン用履物１００は、一般の履物においてヒールがない平らな履物又は楽な運動靴のシルエットに見られる構造を有している。
【００４２】
また、前方ガイド部材１１０は足指を取り囲む一体型のものであり、上部及び下部が延びるか変形されることもでき、後方ガイド部材１２０も側部と下部の区分なしに踵を取り囲み、下部及び側部が伸張するか縮小することができる一体型構造を有する。
【００４３】
前方ガイド部材１１０及び後方ガイド部材１２０は、プラスチック、シリコン、パルプ、紙、混合紙又は韓紙の素材から構成されることができる。
【００４４】
詳細に説明すると、前方ガイド部材１１０及び後方ガイド部材１２０は、プラスチック類、シリコン類、韓紙パルプ類、紙類、織物類又は不織布類の中で一種又はそれ以上が混合された素材から構成されることができる。
【００４５】
具体的に、ＰＥＴ／ＰＥＴＥ、ＨＤＰＥ、ＰＶＣ、ＬＤＰＥ、ＰＰ、ＰＳ、ＰＥＳのプラスチック類、一般成形用シリコンゴム、高引裂強度シリコンゴム、難燃性シリコンゴム、超耐熱性シリコンゴムを含むシリコン類、韓紙の素材は、紙である韓紙と紙を形成する前のゲル状の韓紙パルプ又はコウゾパルプが含まれる。前記マネキン用履物は、プラスチック類、シリコン類、韓紙パルプ類を含め、韓紙、コウゾ紙、パルプ紙、障子紙、模造紙、新聞用紙又は中質紙のような紙類、及び天然纎維、化学纎維及び半合成纎維を用いて織造又は編織した織物類又は不織布類などの一種又はそれ以上が混合された素材であることができる。
【００４６】
前述した素材を用いて前方ガイド部材１１０と後方ガイド部材１２０を製作する方法については柔軟なマネキン用履物の製造方法と一緒に後述する。
【００４７】
本実施例による他の前方ガイド部材１１０は、図３に示すように、周長調整構造１５０ａ、１５０ｂ、１５０ｃが形成されることができる。周長調整構造は前方ガイド部材１１０の上面又は下面に形成されることができる。これはマネキン足の前方周長によって前方ガイド部材１１０の周長を調整することができる構成である。
【００４８】
図３の（ａ）に周長調整構造１５０の一実施例として示したように、前方ガイド部材１１０の下面に切り取り線１５０ａを示すことができる。前記切り取り線１５０ａははさみ又は刀を用いて切り取り線１５０に沿って切開した後、切開線を中心に両側に広げるか窄めることによってマネキン足１０の前方部に合わせて調節することができる。
【００４９】
また、他の実施例として、図３の（ｂ）に示すように、周長調整構造はマネキン足の周長によって調節範囲が決定される。マネキン足の周長が大きくて前方ガイド部材１１０の一側面に沿って調節範囲が大きくなれば切り取り線の長さも大きく形成されることができるので、所定の長さだけ切開された構造１５０ｂであることができる。また、図３の（ｃ）に示すように、この周長調節構造も前記前方ガイド部材１１０の例のように一側面に沿って所定の深さだけ湾入した（ｒｏｕｎｄｉｎｇ）構造１５０ｃであることができる。
【００５０】
前記前方ガイド部材１１０に形成された切り取り線又は湾入形の開始点１５１はつま先（ｔｏｅ）部分の特徴的な形状が維持されるようにすることが好ましい。
【００５１】
前記つま先の形状によってつま先空間が維持される。つま先が尖っている形状は尖っているつま先空間が維持され、つま先が丸い形状は丸いつま先空間が維持されることができる。前記切り取り線又は湾入形構造１５０ａ、１５０ｂ、１５０ｃの開始点１５１は、マネキン足１０が前方ガイド部材１１０に挿入されたとき、つま先中心の開始点から足元点を通って踵の後端点まで長く形成される中心線（ｃｅｎｔｅｒ  ｌｉｎｅ）を基準線として決定した後、つま先空間を考慮し、マネキン足１０の形状が非対称状であるので内側より外側がもっと広がるように形成されることができる。
【００５２】
一方、図４に示すように、本実施例による後方ガイド部材１２０は、マネキン足１０の踵と後方ガイド部材１２０の内面上部に、マネキン足から離脱することを防止するとともにカバー部材１３０が密着して支持されるようにするために、接着手段６、１２１が安定的に固定されることができる。
【００５３】
詳細に説明すると、前記後方ガイド部材１２０はマネキン足の踵部分及びこれに対応する位置に設けられた接着手段６、１２１によって固定されることができる。
【００５４】
前述した接着手段は、接着剤、両面接着テープ、ベルクロ（登録商標）テープ、ホック式結束部材、ボタン式結束部材、磁石などを例として挙げることができる。
【００５５】
また、前記接着手段は多様な接着手段の一つを選択して装着することができ、接着剤としては、臨時固定用液体スプレー、臨時固定用固体糊、臨時固定用両面接着テープ、雌雄型ベルクロテープ、磁石を含む磁性体を含む。また、これから説明する接着手段も、装着位置によって違っても、接着手段の１種を選択して装着することを意味し、具体的な言及がなければ装着の意味も含むことに気を付けなければならない。
【００５６】
場合によっては、後方ガイド部材１２０の内側にも前記接着手段が使われるか、シリコンのような滑り防止のための摩擦素材でコーティングされることができる。
【００５７】
また、図５に示すように、本実施例による後方ガイド部材１２０は、ハイヒールのようなヒールのある履物がマネキン足１０に合うようにするために、切開線１２２を形成した後、切開線１２２を切開することにより、高さに関係なく同じ後方ガイド部材１２０を使うことができるようにする。より詳細に説明すると、切開線１２２がない場合、マネキンの踵が地上から高くなることによって後方ガイド部材１２０がマネキン足の踵部に合わなくなって後側下部内面に空間が生じる。したがって、このような空間を形成せずに後方ガイド部材１２０が踵をよく取り囲むためには、図５のように切開線１２２を形成し、切開線１２２を切開することにより、踵の高さが違っても後方ガイド部材１２０がマネキン足の踵から分離されずに接することができるように構成した。ここで、必要時には、図５に示すように、切開線１２２が表示された中心上部に前述した接着手段１２１を付けることにより、切開線に沿って切開した場合にも切開された部分がマネキン足の踵に固定されるようにすることができる。
【００５８】
詳細に説明すると、前記後方ガイド部材１２０は後側の踵と対向して配置されることによって形成される不必要な空間を調節するための切開線を有する構造でもある。前記不必要な空間が形成されないようにマネキン足の踵と分離せずに接することができるようにする。
【００５９】
図６は本発明の一実施例による柔軟なマネキン用履物１００の前方ガイド部材１１０、後方ガイド部材１２０及びカバー部材１３０を示す斜視図、図７には本発明の一実施例による柔軟なマネキン用履物がマネキン足１０に装着された状態を示す斜視図である。
【００６０】
これらの図面を参照すると、本実施例によるカバー部材１３０は、上部が開放してマネキン足１０が挿入される引込口１３１が形成されることが好ましい。したがって、前記カバー部材１３０は引込口１３１を通してマネキン足に装着させるときに力を加えることによって伸縮変形しなければならないので、スパンデックスなどの弾性糸を含む布地を使うことが好ましい。前記弾性糸を含む布地は織物又は編物組織を活用することができ、前記マネキン足１０に装着されるガイド部材１０１の形状、マネキン足１０の長さ及び踵の高さによって伸縮変形して、前記マネキン足１０の形態と結合された前記ガイド部材１０１と同じ形状を有するようになる。
【００６１】
また、図９及び図１１に示すように、カバー部材１３０の底面には、マネキン足１０の足裏に支持棒４２を挿入するための貫通口１３２が形成されることができる。
【００６２】
図７に示すように、カバー部材１３０は、マネキン足１０の足指部位に被せられた前方ガイド部材１１０と踵部位に被せられた後方ガイド部材１２０の両者を含むように引っぱって被せる構成を有するものである。前記カバー部材１３０は、いわゆる上足袋の形状又は靴下の形状に形成されることが好ましい。
【００６３】
本発明の柔軟なマネキン用履物１００は上足袋形状のカバー部材１３０を装着すれば靴又は履物の形状になり、首が長い靴下形状のカバー部材１３０を装着すればブーツ形状になることができる。
【００６４】
前記靴下形状のカバー部材１３０はマネキン足１０の足首からこむら部まで被せることができるので、本発明のマネキン用履物１００を用いれば通常にブーツ（ｂｏｏｔｓ）形状に容易に作ることができる。
【００６５】
また、本実施例による伸縮性カバー部材１３０の外面には、柔軟なマネキン用履物１００に靴紐及び孔を製作するか、ステッチを縫製するか、連結部材である飛爪などの結合付属品を付着する代わりに、単純に靴紐、縫製ステッチ、結合された付属品形状の文様を形成することによって柔軟なマネキン用履物１００の製造工程を簡素化することができる。
【００６６】
ここで、カバー部材１３０の外面に文様を形成する方法としては、織造又は編織で文様を形成するか、転写印刷、シルクスクリーン印刷、ステンシル印刷、オフセット印刷、ソルベント印刷、ＵＶ印刷、ホログラム印刷、３Ｄレンチキュラー印刷、蛍光、燐光、発光、金箔、銀箔を含む印刷方法を選択することができる。
【００６７】
前記文様は、素材を表現する文様及び装飾的文様も形成されることができる。また、前記文様の形成方法は一つを選択することができるが、それ以上を選択して複合的な方法を活用することもできる。
【００６８】
また、本発明の他の実施例によれば、前記伸縮性カバー部材１３０は、一重以上に重畳して装着すれば裁断、縫製及び仕上げ工程なしに履物外被構造を容易に結合することができるので、柔軟なマネキン用履物１００の製作時間及びコストを節減することができる。
【００６９】
本発明のカバー部材１３０は、その製造の際、カバー部材の製造機、すなわち丸編機を用いて製造することができる。ここで、カバー部材１３０に形成される結合線を足裏面に形成することにより、靴下又は上足袋のようにステッチ線が外部に露出されないようにすることが好ましい。
【００７０】
特に、靴下形状のカバー部材１３０の場合、製造の際に通常に結合線であるステッチ線が前記靴下形状のカバー部材１３０の上面に形成されるので、前記マネキンに着用されるとき、結合線が外部に露出されて靴又は履物の感じが減少するので、カバー部材１３０の製織プログラムを調節してステッチ線が下部に位置するようにする。
【００７１】
本発明による柔軟なマネキン用履物は互いに分離された構造の前方ガイド部材１１０と後方ガイド部材１２０を用いる構成を有するものであり、マネキン足の長さ及び踵の高さに関係なく伸縮性カバー部材１３０を被せてマネキン用履物１００の外観を完成することができる。
【００７２】
本発明の柔軟なマネキン用履物の他の実施例として、図８のように、マネキン足１０に被せられた前方ガイド部材１１０と後方ガイド部材１２０に覆われたカバー部材１３０の下部に対応する下面ガイド部材（ｏｕｔｅｒ  ｓｏｌｅ）１６０を含んでなることができる。
【００７３】
一方、前記下面ガイド部材１６０は厚さによって足裏全体を覆う突出部材１４０として使うことができる。
【００７４】
また、必要に応じて、図８に示すように、本実施例による柔軟なマネキン用履物１００は、下方に所定長さだけ延びた構造の突出部材１４０をさらに含むことができる。突出部材１４０は履物の下面を支持するヒールと同じ役割を果たし、一つ以上から構成されることができる。本実施例による突出部材１４０は、後方ガイド部材１２０に対応する位置のカバー部材１３０の下面に着脱可能に装着されることが好ましい。
【００７５】
以下、柔軟なマネキン用履物１００を履いたマネキン足１０を座台４１に設置する構成を説明する。
【００７６】
図１１に示すように、本発明は、座台４１の水平面に垂直に支持棒４２が固定設置され、マネキン足１０の一側足裏面の中央にはマネキン足１０の内部に形成される支持棒挿入孔１１が形成される。柔軟なマネキン用履物１００を履いたマネキン足１０を座台４１に設置するためには、支持棒挿入孔１１に支持棒４２を挿入して結合することにより、マネキン足１０を含むマネキンが直立状態で支持されるように設置される。マネキンの一方の足裏面に形成された支持棒挿入孔１１に支持棒４２を挿入する場合、支持棒４２は本発明のカバー部材１３０の貫通口１３２を通して支持棒挿入孔１１に挿入されることにより、マネキンを固定設置する。
【００７７】
近来にはマネキン成形材料も多様に開発されてより軽くて堅く製作されている。図１に示すように前記マネキン足１０にはブラケット４を含む連結管５が除かれ、連結管５の位置に支持棒挿入孔１１が形成された場合である。
【００７８】
前記の支持棒４２が貫通する支持棒挿入孔はマネキンの一足に形成されることができ、他の足には形成されないことができる。また、前記支持棒４２の位置によって、貫通口１３２はマネキン足１０の足裏の下部にのみ形成されるものではなく、こむら、太もも又は尻などにも形成されることができる。したがって、前記後方ガイド部材１２０、前記前方ガイド部材１１０、カバー部材１３０、下面ガイド部材１６０又は突出部材１４０には、支持棒４２の位置に対応する多様な位置に貫通口１３２が形成されることができる。
【００７９】
図１２は本発明の一実施例による柔軟なマネキン用履物１００の製造方法（Ｓ１００）を示すフローチャート、図１３は成形型２０を用いて前方ガイド部材１１０及び後方ガイド部材１２０を成形する状態を示す模式図である。
【００８０】
これらの図面を参照すると、本実施例による柔軟なマネキン用履物の製造方法（Ｓ１００）は、成形型準備段階（Ｓ１１０）、前方ガイド部材成形段階（Ｓ１２０）、後方ガイド部材成形段階（Ｓ１３０）、前方ガイド部材装着段階（Ｓ１４０）、後方ガイド部材装着段階（Ｓ１５０）及びカバー部材装着段階（Ｓ１６０）を含んでなる。
【００８１】
具体的に、成形型２０準備段階（Ｓ１１０）は、マネキン足１０のサイズに基づいて企画された履物形状の成形型を準備する段階である。
【００８２】
前記成形型２０の形状は一般人の履物の成形型であるラスト（ｌａｓｔ）の製作過程と同様である。マネキン足１０の形状から石膏又は粘土で型を取った後、形態を整えて単純化したものを意味する。前記成形型２０の材料は、木、プラスチック、金属などであることができる。
【００８３】
本発明のマネキン成形型２０は前方ガイド部材のための前方成形型２１と後方ガイド部材のための後方成形型２２とに分離されているので、既存のヒトの履物の成形型より少ない数の成形型を製作し、多様な組合せによって履物を形成することができ、足の長さであるサイズに関わらない利点がある。
【００８４】
図１３に示すように、前記の成形型２０は均一に分離された成形型２０の形状であることもできるが、成形型２０の下面が足裏に沿って長く延びて踵の側部又は足指の上部のみ除いて分離された形状であるか、足指部分を含めて足元まで延びるか、踵から足元を含めて延びて足指部分のみ除いた形状であることもできる。
【００８５】
したがって、マネキン足、人形足、障害者のための義足及びロボット（ｒｏｂｏｔ）足の場合には、前記分離された成形型２０を活用して密閉型前方ガイド部材１１０を形成し、マネキン、義足及びロボットの分離された足の本体部と結合し、カバー部材１３０を被せることにより、履物の多様性を提供することができる。
【００８６】
計画された履物の形状のために、足指を含む前方ガイド部材１１０のための前方成形型２１は履物の形状を決定する多様なつま先形状を成形することができる。前記つま先形状は、つま先の空間を考慮した尖っている形状、丸い形状、四角形状及び卵形状の中で一つ又は一つ以上を選択して結合した形状であることもできる。
【００８７】
後方成形型２２においては、マネキン足１０の踵高さによる下面と側部面の傾きを考慮して後方成形型２２を成形する。マネキン足１０の踵側面の中心部は靴の外形に影響を及ぼす踵曲線（ｈｅｅｌ  ｃｕｒｖｅ）又は運動靴のように柔らかい直線も選択して製作することもできる。後方成形型２２の下部には突出部材１４０が付着されるようにヒール座（ｈｅｅｌ  ｓｅａｔ）のみの横幅及び縦幅を考慮することが好ましい。
【００８８】
前記成形型は、図１３に示すように、立体的な外形を有するように製作されることもでき、中空成形型の内部に成形素材を配置して成形することができるように製作された中空形成型であることもでき、プラスチック、シリコン液体などを注入することができるように金型であることもできる。
【００８９】
以後に説明する前方ガイド部材成形段階（Ｓ１２０）及び後方ガイド成形段階（Ｓ１３０）はマネキン用履物のサンプル形状を製作するための手作業の方法であり、大量生産のための製造方法ではないことを知らなければならない。また、成形材料としては韓紙を選択して説明しているが、他の成形材料として、韓紙を除いたプラスチック、シリコン、紙類、織物類及び不織布の中で１種又はそれ以上を含む混合した素材から製作されることができる。
【００９０】
前方ガイド部材成形段階（Ｓ１２０）及び後方ガイド部材成形段階（Ｓ１３０）のための一実施例として、以下では韓紙を用いた成形段階を具体的に説明する。図１３に示すように、前方成形型２１に成形材料３０を当てて配置し、乾燥するか、圧力を加えながら配置し、乾燥するか、圧力を加えてから乾燥することによって成形した後、前方成形型２１から分離して前方ガイド部材１１０を成形することができる。また、後方成形型２２を活用して前方ガイド部材１２０を成形することも同様な方法で遂行することができる。
【００９１】
製作されるガイド部材１０１の外殻線が描かれた成形型２０に立体裁断するように裁断された韓紙３０を付けながら乾燥させ、重ねて付けながら乾燥する作業を繰り返すことにより、ガイド部材１０１の堅牢性を増加させることができる。
【００９２】
前記前方ガイド部材１１０の形成において前方部分が特に尖っているか突出している部分の特徴的デザイン形状を堅固に維持してカバー部材の装着時に特徴的形状を正確に表現しなければならないか、後方ガイド部材１２０の形成において突出部材が着脱しやすく堅く維持しなければならない場合には、さらに所望部分に韓紙で多重に付ければ堅固に製造することができる。
【００９３】
前記それぞれの韓紙３０を付けるとき、米又は小麦粉から製造した自然材料のゲルのような糊又は合成糊を韓紙に塗って熟成させれば、伸縮性及び柔軟性が増加し、成形型２０の表面にスムーズに引っぱりながら密着させてガイド部材の曲面を自然に表現した後、乾燥させ、ガイド部材のエッジ部分を滑らかに整える。
【００９４】
一方、前方ガイド部材１１０の成形段階（Ｓ１２０）は、前方ガイド部材１１０の上面又は下面に前方ガイド部材１１０の周長を調整することができる周長調整構造１５０を形成する過程まで含む段階である。
【００９５】
図３に示した前記前方周長調整構造１５０は、図２に示した完成された前方ガイド部材に切り取り線１５０ａが形成されている構造（ａ）であるか、切り取り線に沿って切開線１５０ｂが形成された構造（ｂ）である。図３の（ｃ）に示した前方ガイド部材は韓紙で前方ガイド部材１１０を製作する過程で上部を中心にそれぞれの韓紙を重ねて付ける過程で自然に下部の一部まで形成された構造であり、製作過程が簡素化した構造である。
【００９６】
前記のように前方ガイド部材１１０及び後方ガイド部材１２０のサンプル（ｓｍａｐｌｅ）を製作した後、大量生産のために切り取り線１５０ａもコンピュータに入力して機械が自動で表示するようにし、カッターで切開１５０ｂするようにする。湾入形の開放部１５０ｃは紙の特性を活用した製作方法であり、一枚の韓紙２０を成形型２０に重ねて付けるか成形型に入れて圧力を加えることによって成形する簡単な方法である。
【００９７】
前方ガイド部材成形段階（Ｓ１２０）及び後方ガイド部材成形段階（Ｓ１３０）に活用可能な成形材料は、プラスチック類、シリコン類、韓紙パルプ類、紙類、織物類、編物類又は不織布類の中で一種又はそれ以上が混合された素材を選択することができる。また、カバー部材１３０の内部に前方ガイド部材１１０及び後方ガイド部材１２０が位置するので、リサイクルされた中質紙も堅固になるようにする合成剤を添加して再使用することができる。
【００９８】
最も好ましくは、韓紙３０の素材であり、韓紙又は韓紙パルプであることができる。韓紙（ｈａｎｊｉ）はコウゾ又はスギからコウゾパルプ（韓紙パルプ）を形成して製作した紙であり、中国では漢紙、日本では和紙と呼ばれる。韓国で生産された韓紙は軽くて耐久性に優れてその用途が広範囲であり、作品を保管する保存用紙だけでなく、書道のための紙、住居用家具、小品、器、壁紙、床紙、天井紙、窓枠紙として活用された。また、韓紙は他の樹皮、葉又は草とも混用されたので、その範囲は広範囲である。現代で韓紙は費用節減と韓紙の多様性のためにパルプ又はその他の素材と混用されている。
【００９９】
前方ガイド部材１１０はマネキン足１０の足指を取り囲む構造を有し、足指の上部及び下部まで含む一体型構造を有することができる。多様な形状の成形型２１によって前方ガイド部材１１０の形状を成形することができ、前方ガイド部材１１０の上部は履物形状によって足元が覆われるか深く開放した多様な形状に成形することができる。
【０１００】
後方ガイド部材１２０はマネキン足１０の踵を取り囲む構造を有し、踵の側部及び下部まで含む一体型構造を有することができる。
【０１０１】
前記後方ガイド部材１２０は扇形である月形（ｃｏｕｎｔｅｒ）に形成されることが好ましい。
【０１０２】
前記後方ガイド部材１２０は側部と下部が一体型であるので、側部の切開線１２２を下部に入れることにより、マネキン足１０が挿入されるときに踵と不一致によって生じる空間を調節することもできる。前記後方ガイド部材１２０の側面は踵補強（ｈｅｅｌ  ｇｒｉｐ）の役割を果たすように滑り防止用のシリコンを付着することもできる、前記後方ガイド部材１２０の切開線１２２を形成してから接着手段１２１を付着することもでき、接着手段１２１を先に付着してから切開線１２２を形成することもできる。
【０１０３】
また、後方ガイド部材１２０の下面には韓紙３０を重ねて付けることにより、後方ガイド部材と一体型の低い突出部材も成形することができる。
【０１０４】
ついで、前方ガイド部材１１０の装着段階（Ｓ１４０）及び後方ガイド部材１２０の装着段階（Ｓ１５０）を遂行する。具体的に、成形された前方ガイド部材１１０をマネキン足１０に装着する装着段階（Ｓ１４０）及び成形された後方ガイド部材１２０をマネキン足１０に装着する段階（Ｓ１５０）である。
【０１０５】
一般に、マネキン足１０のサイズ及び高さに基づいて成形された履物成形型２０の表面に韓紙３０を重ねて付けたので、装着段階で調節の必要なしに、図２に示した前方ガイド部材１１０をマネキン足１０に被せた後、内側上部に接着剤１２１が付いた後方ガイド部材１２０を踵に被せてから固定させる。
【０１０６】
前記接着剤は臨時固定用接着剤であり、後方ガイド部材１２０を再び活用することができるようにする。
【０１０７】
また、新しい形態のマネキン足１０に装着させるために、前方ガイド部材１１０と後方ガイド部材１２０に表示された切り取り線１５０ａ又は切開線１２２を切開して調節する。
【０１０８】
前記前方ガイド部材１１０と新しいマネキン足の前方部との間に差が発生すれば前方周長調節構造を活用する。図２に示すように、表示された切り取り線１５０ａを切開しなければならない場合、切り取り線が切開されている場合１５０ｂ及び湾入した構造の場合１５０ｃは新しいマネキン足に合わせて広がるか窄めることによって調節した後、接着剤で固定させる。
【０１０９】
ここで、前方ガイド部材の切開線の長さ１５０ａ、１５０ｂと湾入した深さ１５０ｃは新しいマネキン足の前方部に合わせて調節する。新しいマネキン足１０の前方部と前方ガイド部材１１０との離隔差が大きいほど、切開を長くするか湾入部を手で取り離すか引き剥がすことによって深さを調節することができる。
【０１１０】
また、新しいマネキンの踵高さとの差が大きくて後方ガイド部材１２０の内側下面に形成された空間を調節しなければならない場合、後方ガイド部材１２０の表示された切開線１２２を切開して調節した後、後側中心部の内部に付着された接着剤でマネキンの踵に付けて固定させる。
【０１１１】
前記切開線１２２は側部の上端から下端まで完全に切開されることができるが、マネキン足１０の踵骨が突出した部分のすぐ上部から少し上がる部分まで切開されて形成されることもできる。
【０１１２】
また、側部に形成された切開線は下方に移動させることもできる。マネキン足１０の踵と後方ガイド部材１２０との不一致によって形成された不必要な空間を除去するために、後方ガイド部材１２０の下部にマネキン足１０の踵が配置された後、切開線１２２で踵の側部の中心を取り囲みながら接着手段１２１の一つで付着させることができる。
【０１１３】
カバー部材装着段階（Ｓ１６０）は、後方ガイド部材１２０を装着する後方ガイド部材装着段階（Ｓ１５０）以後にマネキン足１０にカバー部材１３０を被せる段階である。
【０１１４】
図７に示すように、前記マネキン足１０に装着された前方ガイド部材１１０及び後方ガイド部材１２０の表面に伸縮性素材のカバー部材１３０を被せる場合、カバー部材の上部の引込口１３１を大きく開けた後、マネキン足１０に装着されたガイド部材１１０の前方部にカバー部材１３０を先に挿入させ、その後に前記カバー部材１３０に力を加えて伸ばしてマネキン足１０の踵に装着された後方ガイド部材１２０に完全に被せた後、下面に位置する貫通口１３２が支持棒挿入孔１１と一致するかを確認した後、支持棒４２を支持棒挿入孔１１に挿入してマネキン１を立てる。
【０１１５】
場合によって、カバー部材装着段階（Ｓ１６０）の後、突出部材装着段階（Ｓ１７０）を遂行することができる。
【０１１６】
図８及び図１１に示すように、カバー部材装着段階（Ｓ１６０）の後、突出部材１４０を装着させる場合、後方ガイド部材１２０に対応する位置のカバー部材１３０の下面にマネキンの踵高さに対応する突出部材１４０を着脱可能に装着した後、カバー部材の貫通口１３２を通して支持棒挿入孔１１に支持棒４２を挿入してマネキン用履物の着用を完成する。
【０１１７】
他の実施例として、場合によっては、カバー部材装着段階（Ｓ１６０）の後、下面ガイド部材１６０を外底（ｏｕｔｅｒ  ｓｏｌｅ）のように装着する段階を遂行することができる。下面ガイド部材１６０はマネキン足１０に被せられた前方ガイド部材１１０及び後方ガイド部材１２０に被せられたカバー部材１３０の下部に接触する構造を有するものであり、厚さが薄い場合、貫通孔を形成する必要なしに支持棒４２をマネキン支持棒挿入孔１１に挿入すれば自然に貫通して挿入することができる。反対に、下面ガイド部材１６０が厚ければ、カバー部材１３０の下面に対応する貫通口１６１を形成し、支持棒４２をマネキン支持棒挿入孔１１に容易に挿入することができるようにする。
【０１１８】
また、突出部材装着段階（Ｓ１７０）で新しいマネキン形態に応じて高さの違う突出部材を装着する場合、柔軟なマネキン用履物１００を装着させたマネキン１を座台４１に立てておいた後、後方ガイド部材１２０に対応する位置のカバー部材１３０の下面に新しいマネキンの踵高さに合う突出部材１４０を装着することにより、新しく調節された柔軟なマネキン用履物を完成する。
【０１１９】
図１０及び図１１に示すように、本発明の一実施例によるマネキン用履物突出部材である履物ヒール１４０は履物ヒール形状の本体部１４１を含み、前記本体部１４１は空いている中空型構造を有し、マネキン用履物１００の下面に着脱可能に装着されることができる。
【０１２０】
本体部１４１は、ハイヒールのヒール形状を有することができるが、必ずしもこれに限定されるものではなく、マネキン用履物１００の形態によって、パンプスヒール、一体型平ヒール、ウェッジヒール、プラットホームヒール、ブーツヒールなどの多様な形態の履物ヒール形状を有することができる。ウェッジヒールのような場合は中空型のものであり、踵の下部位置の上面１４２及び下面１４３に貫通孔が形成されることができる。
【０１２１】
具体的に、突出部材１４０の素材は、プラスチック類、シリコン類、韓紙パルプ類、紙類、織物類又は不織布類の中で１種又はそれ以上混合された素材を使うことができる。
【０１２２】
このような本体部１４１は、本体部１４１の上面１４２に厚さがほとんどない接着剤を塗布するか、厚い接着剤、磁石、ベルクロテープ、ホック式結束部材、ボタン式結束部材などの接着手段を用いてマネキン用履物１００の下面に固定されることができ、外部の力が加わったときに脱着されることが好ましい。
【０１２３】
具体的に、前記上面１４２をマネキン用履物１００の下部と隙間なしに結合するために、上面１４２に両面接着テープのように厚さがほとんどない接着手段で接着することができ、接着手段として磁石を使う場合には、上面１４２の内部下側に固定させて上面１４２が平らになるように維持することができる。
【０１２４】
また、このような接着手段は状況によって互いに交換することができる。例えば、接着手段として磁石を使っている途中、変更される突出部材１４０の形態に合わせてベルクロテープ、ホック式結束部材、ボタン式結束部材などに変更することができる。
【０１２５】
このような接着手段を介して前記上面１４２はマネキン用履物１００の下部に固定されることができ、外部の力が加わったときに脱着されることが好ましい。
【０１２６】
また、図１０に示すように、突出部材の下面１４３にはトップリフト（ｔｏｐ  ｌｉｆｔ）１４４が装着されることができ、履物のヒールを保護する目的でヒトが着用する履物に使われる場合である。
【０１２７】
図１１に示すように、本発明は、前記突出部材１４０の下面１４３に接着手段の一つ１４６が装着され、座台４１において突出部材１４０の下面１４３に対応する位置に着脱可能に結合されることができる。
【０１２８】
詳細に説明すると、前記突出部材１４０の下面１４３には両面接着テープ、ベルクロテープ、又は磁石のような接着手段の一つ１４６が装着され、座台４１において突出部材の下部に対応する位置に着脱可能に結合されることができる。また、前記突出部材１４０の高さも調節することができ、マネキン用履物１００又は下面ガイド部材１６０の下部に結合なしに位置するが結合されたもののように見られる。
【０１２９】
突出部材の下面１４３に装着された磁石１４６はその形状を自由に形成して突出部材１４０の高さ調節を補助することができ、磁力の範囲内で着脱可能に結束されることができ、極性の違う磁石と鉄板も結束可能な接着手段の一つである。したがって、図１１に示した例のように、突出部材の下面１４３に磁石１４６を装着して鉄板製の座台２と結束させることにより、突出部材１４０が真っ直ぐに立てられてカバー部材１３０の下部の突出部材座（ｈｅｅｌ  ｓｅａｔ）に配置される構造を有する。ここで、トップリフト１４４のように見える多様な接着手段の形状は、突出部材の下面１４３に対応する一般履物のトップリフト（ｔｏｐ  ｌｉｆｔ）のような形状を有することができ、他の形状を有することもできる。前記座台４１が鉄板製ではない場合には、前記座台４１の下部に極性の違う磁石又は鉄板を装着して突出部材の下面１４３と座台４１を結束することもでき、これと反対に突出部材の下面１４３に鉄板を装着することもできる。
【０１３０】
また、突出部材の下面１４３に両面接着テープ１４６のような薄い接着手段が装着される場合には、突出部材１４０のみ見えることもでき、長い突出部材１４０も活用することができる。
【０１３１】
本発明の突出部材１４０は、マネキン足１０に着用されたマネキン用履物１００の下部と座台４１の上部との間に挿入されて配置されることもできる。
【０１３２】
マネキン１は、座台４１の支持棒４２とマネキン足１０の足指部分によってマネキンの大部分の荷重が支持されるので、マネキンの踵が上がった形状は踵にマネキンの荷重を維持する必要がない。したがって、突出部材の下面１４３が安定的な形状である男性用履物のヒール、一字形ブーツヒールのような場合、突出部材１４０は上面１４２及び下面１４３に接合手段を装着せずに座台４１の上部とマネキン用履物１００の下部との間に配置することができる。
【０１３３】
しかし、他の一つはマネキン用履物１００の下部に着脱されるために、突出部材の上面１４２に接合手段を付着してマネキン用履物のヒールである突出部材１４０の着用を完成することができる。また、接着手段がトップリフト１４４の役割をする場合には、他方も同じに見えるようにしてマネキン用履物１００を完成する。
【０１３４】
場合によっては、カバー部材装着段階（Ｓ１６０）に先立ち、カバー部材１３０の外面に結束の完成された靴紐、縫製ステッチ、結合された付属品、装飾品を文様で形成することができる。このような本発明の伸縮性カバー部材１３０の外面に多様な装飾品の存在感を文様で形成することにより、マネキン用履物の製造過程及び費用を節減することができる。
【０１３５】
以上のように、図１２に示した柔軟なマネキン用履物の製造方法によって製造することができるが、成形素材及び成形型の供給及び製造状況などによって成形段階及び装着段階を同時に遂行するか手順を変えて遂行することができる。
【０１３６】
具体的に説明すると、成形型準備段階（Ｓ１１０）の後、前方ガイド部材１１０の成形段階（Ｓ１２０）と後方ガイド部材１３０の成形段階（Ｓ１３０）も連続的に遂行することができるが、前方ガイド部材１１０の成形段階（Ｓ１２０）より先に又は同時に遂行することができる。また、前方ガイド部材１１０が装着（Ｓ１４０）された後、後方ガイド部材１２０の装着段階（Ｓ１５０）でカバー部材１３０の装着段階（Ｓ１６０）を一緒に遂行することができ、後方ガイド部材１２０の装着段階（Ｓ１５０）とカバー部材の装着段階（Ｓ１６０）を同時にマネキン足１０に適用することができる。それだけでなく、前方ガイド部材１１０の装着段階（Ｓ１４０）でカバー部材１３０内に挿入させるカバー部材装着段階（Ｓ１６０）をマネキン足１０に同時に遂行することができる。また、成形型２０の準備段階（Ｓ１１０）で突出部材１４０の装着段階（Ｓ１７０）の突出部材１４０を配置させて後方成形型２２の横幅、縦幅及び勾配などを調節することもできる。本発明の柔軟なマネキン用履物の製造方法の特徴として、順次遂行しても良いが、履物特性上分離されているので、柔軟に製造過程を遂行することもできる。
【０１３７】
以上で説明したように、本発明の柔軟なマネキン用履物及びその製造方法は、外部から見たとき、実際の履物のように見える実用的効果を提供することができ、前記柔軟なマネキン用履物は、ガイド部材及びカバー部材の調節によって新しいマネキン足に着用させることができ、ガイド部材及びカバー部材の交換によって新しい履物スタイルを提案することにより、季節又は流行によって頻繁に変更しなければならないディスプレイ用マネキン用履物の製作及び交換コストを節減し、交換時間を縮めることができる新しい履物構成要素を含む柔軟なマネキン用履物及びその製造方法を提供することができる。
【０１３８】
以上の本発明の詳細な説明では本発明の特定実施例のみについて記述した。しかし、本発明は詳細な説明で言及する特定の形態に限定されるものではないものと理解されなければならなく、添付の特許請求の範囲によって定義される本発明の精神及び範囲内にある全ての変形物、均等物及び代替物を含むものと理解されなければならない。
【０１３９】
すなわち、本発明は前述した特定の実施例及び説明に限定されなく、特許請求の範囲で請求する本発明の要旨を逸脱することなしに本発明が属する技術分野で通常の知識を有する者であれば誰でも多様な変形実施が可能であり、そのような変形は本発明の保護範囲内にある。
【産業上の利用可能性】
【０１４０】
本発明による柔軟なマネキン用履物及びその製造方法は、外部から見たとき、実際の履物のように見える実用的効果を提供するとともに、季節又は流行によって頻繁に変更しなければならないディスプレイ用マネキン用履物の製作及び交換コストを節減し、交換時間を縮めることができるので、ファッション産業分野に広範囲に適用することができる。
【図１】
2022501165.tif 000003
【図２】
2022501165.tif 000004
【図３】
2022501165.tif 000005
【図４】
2022501165.tif 000006
【図５】
2022501165.tif 000007
【図６】
2022501165.tif 000008
【図７】
2022501165.tif 000009
【図８】
2022501165.tif 000010
【図９】
2022501165.tif 000011
【図１０】
2022501165.tif 000012
【図１１】
2022501165.tif 000013
【図１２】
2022501165.tif 000014
【図１３】
2022501165.tif 000015
【国際調査報告】
2022501165.tif 000016
2022501165.tif 000017
2022501165.tif 000018
2022501165.tif 000019